(57)【特許請求の範囲】
【請求項１】
配線回路、電極および両面を被覆するカバーレイ樹脂膜を備えた両面の、第１および第２のフレキシブルプリント配線板の接続構造であって、
前記第１および第２のフレキシブルプリント配線板において、
前記両面のうちの一方面には前記電極が設けられ、該一方面は、該電極が露出するように、該電極を含む電極接続エリアをあけた前記カバーレイ樹脂膜で被覆され、
平面的に見て前記電極接続エリアと重なる領域では、前記配線回路は、前記一方面と反対側の他方面にのみ位置し、
前記一方面の電極と前記他方面の配線回路とは、前記電極接続エリアまたはその電極接続エリアの周囲部に位置するビアホールを通して導電接続され、前記配線回路は前記ビアホールから出て折り返して該電極を形成する形態をとり前記他方面において前記電極接続エリアにわたって重なって位置し、
前記第１および第２のフレキシブルプリント配線板は同じ電極配列を有し、前記電極接続エリアを向き合わせて、異方導電膜を挟んで該電極配列どうし導電接続されていることを特徴とする、フレキシブルプリント配線基板の接続構造。
【請求項２】
前記異方導電膜が、前記２つの相対する電極接続エリアで形成される空間に充填されて、前記２つのフレキシブルプリント配線板の電極を両方とも露出箇所なく被覆していることを特徴とする、請求項１に記載のフレキシブルプリント配線基板の接続構造。
【請求項３】
請求項１または２に記載のフレキシブルプリント配線基板の接続構造を用いたことを特徴とする、電子機器。
【請求項４】
配線回路、電極および両面を被覆するカバーレイ樹脂膜を備えた両面の、第１および第２のフレキシブルプリント配線板の接続構造を製造する方法であって、
前記第１および第２のフレキシブルプリント配線板について、
基層の両面に銅箔が積層された銅張積層板を準備する工程と、
前記銅張積層板の両面の銅箔、および基層を貫通するビアホールを形成する工程と、
前記ビアホールおよび両面の銅箔に沿うように、金属めっき層を形成する工程と、
前記金属めっき層および前記両面の銅箔をエッチングすることで、前記両面のうちの一方面の金属めっき層および銅箔から電極配列および配線回路パターンを、また前記一方面と反対側の他方面の金属めっき層および銅箔から配線回路パターンを、形成する導電パターン形成工程と、
前記一方面の電極配列の端から所定範囲を電極接続エリアとして露出させながら、前記ビアホールを含む残りの領域を覆うように、カバーレイ樹脂膜を前記一方面に積層する工程とを備え、
前記電極配列および前記配線回路パターンを形成する工程では、前記第１のフレキシブルプリント配線板の電極配列と、前記第２のフレキシブルプリント配線板の電極配列とを同じにし、かつ前記第１および第２のフレキシブルプリント配線板の前記配線回路パターンが前記電極接続エリアにわたって重なるように形成し、
前記第１および第２のフレキシブルプリント配線板の電極配列を位置合わせした状態で、異方導電膜を挟んで圧着することを特徴とする、フレキシブルプリント配線板の接続構造の製造方法。
【発明の詳細な説明】
【技術分野】
【０００１】
本発明は、フレキシブルプリント配線板（ＦＰＣ:Flexible  Printed  Circuit）、その接続構造、これらの製造方法、および電子機器に関し、より具体的には、異方導電膜（ＡＣＦ:Anisotropic  Conductive  Film）を用いて電極同士を導電接続しながら、応力集中等を防止することができる、フレキシブルプリント配線板の接続構造、その製造方法、およびこれらを用いた電子機器に関するものである。
【背景技術】
【０００２】
携帯端末等の電子機器には、複数のフレキシブルプリント配線板が用いられ、当該電子機器内で、フレキシブルプリント配線板の電極同士が、導電接続される。製造方法の能率向上の要求に応えるために、２つのフレキシブルプリント配線板の電極同士を、異方導電膜（ＡＣＦ）で導電接続する方法が提案されている（特許文献１）。ＡＣＦによる導電接続では、上記電極が露出された２つの電極領域によってＡＣＦを挟んで加熱加圧することで、個々の電極同士を導電接続する。これによってフレキシブルプリント配線板の電極同士を効率よく接続することができる。
【先行技術文献】
【特許文献】
【０００３】
【特許文献１】特開２００４−１１９０６３号公報
【発明の概要】
【発明が解決しようとする課題】
【０００４】
上記の携帯端末等では、フレキシブルプリント配線板はその特徴であるしなやかな可撓性を生かして携帯端末内においてフレキシブルプリント配線板を変形させる構造をとる場合が多い。このため、図５に示す従来の接続構造１５０のように、電極を露出させた片面フレキシブルプリント配線板１１０を、２つ、接続する。片面フレキシブルプリント配線板１１０は、基層１０１上に銅箔をエッチングすることで形成した電極１０２が積層され、その上に金めっき層１１１が形成されている。金めっき層１１１が形成されない銅箔１０２の領域はカバーレイ接着剤１０５付きのカバーレイ樹脂膜１０６によって被覆されている。電極間の接続は、２つの金めっき層１１１，１１１の間にＡＣＦ１２１を挟んで圧着することで行われる。このような片面フレキシブルプリント配線板１１０同士の接続では、つぎの問題を生じる。
ＡＣＦ１２１を含む接続部には、片面フレキシブルプリント配線板１１０／ＡＣＦ１２１／片面フレキシブルプリント配線板１１０、の右と左とに食い違い（段差）がある。このため、２つのフレキシブルプリント配線板１１０が引き離されるような力を受けると、多くの場合、ＡＣＦを含む接続部に屈曲の力がかかり、この屈曲の力によって最も薄い電極の箇所に力が集中する。また、ＡＣＦ１２１を含む接続部が、回転するような力を受ける場合もある。これら両方の場合ともに、金めっき層１１１の領域Ｃに大きな応力集中が生じる。このため、所定の場合、たとえば金めっき層が電極表面に形成されている場合には、硬いために、繰り返し応力が上記の接続構造の重複していない電極部分にかかり、電極にクラックが生じる場合があった。
また、金めっき膜がない場合には、クラックを生じないまでも、大きな応力集中がかかり繰り返しの応力集中のために格子欠陥密度が高くなり、その部分の孔食など局部腐食を促進することがあった。
本発明は、ＡＣＦを用いて電極同士を能率よく導電接続しながら、変形を受けてもフレキシブルプリント配線板の電極等での応力集中を避けることができるフレキシブルプリント配線板の接続構造、その製造方法、およびこれらを用いた電子機器を提供することを目的とする。
【課題を解決するための手段】
【０００５】
本発明のフレキシブルプリント配線板の接続構造は、配線回路、電極および両面を被覆するカバーレイ樹脂膜を備えた両面の、第１および第２のフレキシブルプリント配線板の接続構造である。この接続構造は、第１および第２のフレキシブルプリント配線板において、両面のうちの一方面には電極が設けられ、該一方面は、該電極が露出するように、該電極を含む電極接続エリアをあけたカバーレイ樹脂膜で被覆され、平面的に見て電極接続エリアと重なる領域では、配線回路は、一方面と反対側の他方面にのみ位置し、一方面の電極と他方面の配線回路とは、電極接続エリアまたはその電極接続エリアの周囲部に位置するビアホールを通して導電接続され、配線回路はビアホールから出て折り返して該電極を形成する形態をとり他方面において記電極接続エリアにわたって重なって位置し、第１および第２のフレキシブルプリント配線板は同じ電極配列を有し、電極接続エリアを向き合わせて、異方導電膜を挟んで該電極配列どうし導電接続されていることを特徴とする。
ここで、上記本発明のフレキシブルプリント配線板は、当該フレキシブルプリント配線板（第１のフレキシブルプリント配線板）と、それと同じ電極配列を有するフレキシブルプリント配線板（第２のフレキシブルプリント配線板）とを、ＡＣＦを挟んで、これらの電極間を導電接続するために用いることを前提としている。第２のフレキシブルプリント配線板は、第１のフレキシブルプリント配線板と同じでよいが、全体の形状等まで同じである必要はない。電極配列が同じで、両面のフレキシブルプリント配線板あればよい。
なお、上記のフレキシブルプリント配線板において、電極および電極接続エリア、が設けられる一方面を表面、その反対側（両面基板において基層を挟んで）の他方面を裏面、ということがある。
【０００６】
これによって、ＡＣＦを用いて能率よく、接続構造を製造することができる。また、多数の電極が密に配列されていても、ＡＣＦによって、精度よく電極間の１対１の導電接続が可能になる。上記の構成では、とくに、両面のフレキシブルプリント配線板（第１のフレキシブルプリント配線板）の電極と、第２のフレキシブルプリント配線板の電極とを、ＡＣＦを介在させて導電接続することができる。このため、少なくとも第１のフレキシブルプリント配線板の構造によって、電極／ＡＣＦ／電極の構造は、しっかり安定して保持されており、変形して応力が集中する箇所を生じない。このため、電極にクラックを発生したり（金めっき層被覆の場合）、腐食を促進させたり（金めっき層なしの場合）することが防止される。
【０００７】
電極接続エリアに露出される電極に金めっき層を形成することができる。これによって、露出した電極に対して、金めっき層によって腐食を防止し、かつ金めっき層を形成しながら上記の応力集中がないためにクラック発生を防止することができる。
【０００８】
本発明のフレキシブルプリント配線板の接続構造は、上記のいずれかフレキシブルプリント配線板（第１のフレキシブルプリント配線板）と、そのフレキシブルプリント配線板と同じ電極配列を有する第２のフレキシブルプリント配線板とが、電極接続エリアを向き合わせて、ＡＣＦを挟んで該電極配列どうし導電接続されていることを特徴とする。ここで、第２のフレキシブルプリント配線板は、第１のフレキシブルプリント配線板と同じ構造の両面基板とする。しかし、全体の形状まで同じである必要はない。電極配列だけ同じとする。これによって、能率よく接続構造を得ながら、少なくとも一方が、上述の両面のフレキシブルプリント配線板なので、上述した応力集中の緩和を実現することができる。
【０００９】
ＡＣＦが、２つの相対する電極接続エリアで形成される空間に充填されて、２つのフレキシブルプリント配線板の電極を両方とも露出箇所なく被覆する構成とすることができる。これによって、露出した電極は、金めっき膜がなくても、ＡＣＦによって被覆されるので、腐食を防止することができる。
【００１０】
本発明の電子機器は、上記のいずれかのフレキシブルプリント配線板、または上記のいずれかのフレキシブルプリント配線基板の接続構造を用いることを特徴とする。これによって、長期間、使用しても、電極にクラックを生じない、また腐食の促進がない、フレキシブルプリント配線板またはその接続構造を含んだ電子機器を得ることができる。
【００１１】
本発明のフレキシブルプリント配線板の接続構造の製造方法は、配線回路、電極および両面を被覆するカバーレイ樹脂膜を備えた両面の、第１および第２のフレキシブルプリント配線板の接続構造を製造する方法である。この製造方法は、第１および第２のフレキシブルプリント配線板について、基層の両面に銅箔が積層された銅張積層板を準備する工程と、銅張積層板の両面の銅箔、および基層を貫通するビアホールを形成する工程と、ビアホールおよび両面の銅箔に沿うように、金属めっき層を形成する工程と、金属めっき層および両面の銅箔をエッチングすることで、一方面の金属めっき層および銅箔から電極配列および配線回路パターンを、また他方面の金属めっき層および銅箔から配線回路パターンを、形成する導電パターン形成工程と、一方面の電極の端から所定範囲を電極接続エリアとして露出させながら、ビアホールを含む残りの領域を覆うように、カバーレイ樹脂膜を一方面に貼り合わせる工程とを備え、電極配列および配線回路パターンを形成する工程では、第１のフレキシブルプリント配線板の電極配列と、第２のフレキシブルプリント配線板の電極配列とを同じにし、かつ第１および第２のフレキシブルプリント配線板の配線回路パターンが電極接続エリアにわたって重なるように形成し、第１および第２のフレキシブルプリント配線板の電極配列を位置合わせした状態で、異方導電膜を挟んで圧着することを特徴とする。
【００１２】
上記の方法によって、上記本発明のフレキシブルプリント配線板を２つ、ＡＣＦを用いて能率よく接続させて電子機器に使用して変形させても、応力集中が生じない接続構造を得ることができる。上記の製造方法は、既存のプロセスを用いた簡単な方法である。
【００１３】
導電パターン形成工程の後、一方面にカバーレイ樹脂膜を貼り合わせる工程の前に、一方面の電極に金めっき層を形成することができる。これによって、金属めっき層付き電極を有するフレキシブルプリント配線板を容易に得ることができる。
【００１４】
本発明のフレキシブルプリント配線板の接続構造の製造方法は、上記のいずれかのフレキシブルプリント配線板の製造方法で製造されたフレキシブルプリント配線板（第１のフレキシブルプリント配線板）と、そのフレキシブルプリント配線板と同じ電極配列を有する第２のフレキシブルプリント配線板とを用いて接続構造を製造する。この方法は、上記の２つのフレキシブルプリント配線板の電極配列を位置合わせした状態で、異方導電膜を挟んで圧着することを特徴とする。  上記の方法によって、簡単にフレキシブルプリント配線板の接続構造を能率良く製造でき、かつ、接続構造に応力集中箇所を生じない。
【発明の効果】
【００１５】
本発明によれば、ＡＣＦを用いて電極同士を能率よく導電接続しながら、繰り返し変形を受けてもフレキシブルプリント配線板の電極等での応力集中を避けることができるフレキシブルプリント配線板の接続構造、その製造方法、およびこれらを用いた電子機器を得ることができる。
【図面の簡単な説明】
【００１６】
【図１】本発明の実施の形態１におけるフレキシブルプリント配線板の接続構造を示す平面図である。
【図２】図１の接続構造のＩＩ−ＩＩ線に沿う断面図である。
【図３】フレキシブルプリント配線板の電極配列を平面的に位置合わせし、ＡＣＦを挟んで圧着しようとする状態の断面図である。
【図４】本発明の実施の形態２におけるフレキシブルプリント配線板の接続構造を示す断面図である。
【図５】従来のフレキシブルプリント配線板の接続構造を示す断面図である。
【発明を実施するための形態】
【００１７】
（実施の形態１）
図１は、本発明の実施の形態１におけるフレキシブルプリント配線板１０を用いて形成したフレキシブルプリント配線板の接続構造５０の平面図である。２つのフレキシブルプリント配線板１０，１０は、それぞれ、電極接続エリアＳが設けられ、この電極接続エリアＳ内に電極２ａが配置されている。電極２ａには、銅めっき層３および金めっき層１１が形成されている。本実施の形態では、電極２ａは、とくに断らない限り、上記の銅めっき層３および金めっき層１１が形成されているものとする。２つのフレキシブルプリント配線板１０，１０は、同じである必要はないが、電極接続エリアＳおよびそこに配列された電極（配列）２ａは、平面的に見て合致されている。このような、２つのフレキシブルプリント配線板の電極配列２ａの重複を保証するために、フレキシブルプリント配線板１０，１０には、両者の重ね合わせの精度を高めるためのガイド穴２３、アラインメントマーク２４が設けられている。各フレキシブルプリント配線板１０において、電極２ａは、電極接続エリアＳ内に配置されているが、この電極接続エリアＳは、その電極接続エリアＳを空けたカバーレイ樹脂膜５，６を貼り合わせることで形成される。すなわち電極接続エリアＳ内の電極配列２ａは、カバーレイ樹脂膜５，６に被覆されることなく露出している。
【００１８】
図２は、図１におけるフレキシブルプリント配線板の接続構造５０のＩＩ−ＩＩ線に沿う断面図である。また、図３は、２つのフレキシブルプリント配線板１０，１０の電極接続エリアＳによって、ＡＣＦ２１を挟んで圧着しようとする状態を示す図である。図２および図３の各フレキシブルプリント配線板１０の構造のポイントは、次のとおりである。
（１）電極接続エリアＳ内に、電極２ａは露出している。この電極２ａは、両面フレキシブルプリント配線板の銅箔がパターニングされてできた配線回路パターン２ｂのうち、電極接続エリアＳの裏面に位置する配線回路２ｂが、ビアホールｈから表面側に出て折り返す形態をとっている。裏面の配線回路パターン２ｂを表面側の電極配列２ａに導電接続するために、電極２ａおよび配線回路２ｂを覆い、かつビアホールｈの壁面を覆うように、銅めっき層３が形成されている。上記の電極接続エリアＳは、カバーレイ樹脂膜６およびカバーレイ接着剤層５が、その電極接続エリアＳだけを空けるように、表面側では、電極接続エリアＳを外れた残りの領域の配線回路パターン２ｂを主体に被覆している。裏面側では、カバーレイ樹脂層５，６は、少なくとも電極接続エリアＳに対応する領域を含めて全域を被覆している。
（２）電極接続エリアＳ内において露出する電極２ａの表面は、金めっき層１１で被覆されている。
【００１９】
上記のフレキシブルプリント配線板１０を用いて、ＡＣＦを電極間に挟んで形成した接続構造５０は、次の作用効果を有する。
（Ｊ１）応力集中の緩和
図５に示す従来の接続構造１５０では領域Ｃの表層に応力集中が生じた。すなわち従来の接続構造では、各フレキシブルプリント配線板１１０は、電極接続エリアに相当する領域の先側領域にはカバーレイ樹脂膜はなく、たとえば２つのフレキシブルプリント配線板１１０を引き離す力が加わると、ＡＣＦ１２１を含む接続部は回転変形して、領域Ｃに応力集中が生じる。しかし、本実施の形態の接続構造５０は、両面フレキシブルプリント配線板の表面側に設けられた電極接続エリアＳの電極がＡＣＦを間に挟む形態で形成されている。このため、比較的大きな剛性（フレキシブルプリント配線板のしなやかさを壊さない範囲で）を得ることができる。すなわち、堅固で安定した接続構造５０を得ることができる。この結果、接続構造における応力集中を緩和することができる。このような応力集中の緩和の作用の結果、（ｉ）金めっき層１１が形成されている場合、金めっき層１１による腐食防止の効果を得ながら、金めっき層１１へのクラック発生を防止することができる。また、（ｉｉ）金めっき層１１がなく、銅箔２ａまたは銅めっき層３が最表面の場合、応力集中に起因する局部的な格子欠陥密度の上昇を防ぎ、この高い格子欠陥密度に起因する腐食の促進を抑制することができる。
なお、本実施の形態では、２つのフレキシブルプリント配線板を同じ両面のフレキシブルプリント配線板とする。
（Ｊ２）コスト低減
従来は、プリント配線板にコネクタを実装して、これにフレキシブルプリント配線板を差し込んで接続していた。このコネクタを用いる方法は、ＡＣＦを用いるよりも簡単に導電接続することができるが、ＡＣＦに比べてコストの増大を招く。
（Ｊ３）確実な電極間の接続
ＡＣＦは横方向には導電性を発現しないので、隣り合う電極同士が短絡することがないので、電極間を確実に１対１に導電接続することができる。このような電極間の１対１の導電接続は、配線回路を裏面側にして電極２ａを表面に露出させた本発明のフレキシブルプリント配線板１０の構造によって、より確実に実現することができる。
【００２０】
次に、本実施の形態のフレキシブルプリント配線板１０の製造は、既存の方法を組み合わせて簡単に行うことができる。図３を参照して、順を追って箇条書きする。
（１）ポリイミド膜からなる基層１の両面に銅箔２が積層された両面銅張積層板を準備する。基層１には、高い耐熱性および柔軟性を重視して、ポリイミド、ポリアミドイミドなどのポリイミド系樹脂、ポリアミド系樹脂を用いるのがよい。また、銅箔２を積層するためのベース接着剤を用いる場合には、ポリイミド樹脂、ポリアミドイミド樹脂、エポキシ樹脂、フェノール樹脂、ポリエステル樹脂、ポリウレタン樹脂、アクリル樹脂、メラミン樹脂等を主成分に含むものを用いることができる。基層１の厚みは、５μｍ〜５０μｍ程度、またベース接着剤層は、０．５μｍ〜３０μｍ程度とするのがよい。
（２）次いで、ドリルを用いて、銅箔／ポリイミド膜／銅箔の３層を貫通する孔をあける。
（３）次いで、銅めっきによって、表裏面の銅箔２とビアホールｈを被覆する銅めっき層３を形成する。
（４）エッチングによって表面側および裏面側の導電部（銅箔２および銅めっき層３）のパターニングを行う。このためにレジストパターンを表裏面に形成し、次いで湿式エッチングによって導電部のパターニングを行う。表面側では、表面側の銅箔２および銅めっき層３から電極（配列）２ａ，３を形成する。また、裏面側の銅箔２および銅めっき層３からは、配線回路（パターン）２ｂ，３を形成する。配線回路２ｂ，３は、ビアホールｈを通る銅めっきパターン３によって電極２ａの端に接続している。配線回路２ｂ，３が折り返して電極２ａ，３が形成されているといってもよい。
（５）電極が露出される領域に限定して、金めっき層１１を形成する。
（６）  次いで、表面側において、電極接続エリアＳにおいて電極２ａが露出されるように、当該エリアをあけて、接着剤付きカバーレイ樹脂膜５，６を貼り合わせる。カバーレイ樹脂膜６の下層にはカバーレイ接着剤層５が位置することになる。また裏面側では、配線回路２ｂをすべて覆うように、接着剤付きカバーレイ樹脂膜５，６を貼り合わせる。裏面側にもカバーレイ接着剤層５ができる。カバーレイ６には、柔軟な撓りが可能な絶縁樹脂を用いるのがよい。また、接着工程における１５０℃程度の加熱に対する耐熱性を兼ね備えるのがよい。たとえばポリイミド系の樹脂を挙げることができる。そのほか、ポリオレフィン系の、ポリエチレン、ポリプロピレン、ポリブチレンなどをあげることができる。また、液晶ポリマーを好適に用いることができる。さらに環状オレフィンポリマー、非極性ポリオレフィン、シクロヘキサンジエン系ポリマーなどがある。各種のポリフェニレンエーテルを用いてもよい。カバーレイ樹脂膜６の厚みは、５μｍ〜５０μｍ程度とするのがよい。
接着剤として、たとえばポリスチレン系、ポリエチレン系などのホットメルト系接着剤を用いるのがよい。これによって、製造能率の向上を得ることができる。また、ポリエステル系やポリアミド系の、ホットメルト系接着剤、エポキシ樹脂でもよい。カバーレイ接着剤層５の厚みは、１０μｍ〜５０μｍ程度とするのがよい。
上記の方法によって、電極のみを表面に露出させ、配線回路が表面に出ない電極接続エリアＳを、既存のプロセスによって能率良く形成することができる。
（７）２つのフレキシブルプリント配線板１０，１０の電極接続エリアＳ，Ｓを向き合わせて、ＡＣＦ２１を間に挟んで圧着する。圧着は、機械的にも、また電気的にも堅固に接続することが重要である。ＡＣＦ２１は、加熱され、厚み方向に圧力を受けることで、２つの電極２ａを機械的につなぎ、また電気的に接続する。
ＡＣＦ２１は、主成分として、熱硬化する樹脂（含硬化剤）と、導電粒子とを備えるものである。熱硬化する樹脂としては、たとえばエポキシ樹脂を好適に用いることができる。ＡＣＦ２１は、２つのフレキシブルプリント配線板１０の電極２ａ，２ａの間に挟まれて、圧力を受けながら加熱されることで、軟化状態、溶融に近い状態、もしくは溶融状態にされ、２つの電極２ａ，２ａを導電接続しながら、機械的な接続もする。機械的な接続については、硬化剤の作用により硬化することで、２つの電極２ａ，２ａ、または２つのフレキシブルプリント配線板１０，１０を接着する。導電粒子の体積率、形状等は、隣り合う電極２ａが短絡するおそれがないようにされる。ＡＣＦ２１の樹脂には熱硬化性のエポキシ樹脂などを用いるのがよいが、その他に、シリコーン樹脂、または耐熱性に優れたポリイミド樹脂を用いてもよい。エポキシ樹脂を用いる場合、ビスフェノールＡ、またはビスフェノールＦとエピクロルヒドリンを反応させて作る通称ビスフェノール系と呼ばれる樹脂を用いることができる。ノボラック系の樹脂を用いてもよい。ＡＣＦ２１の導電粒子には、各種形状（粒状、針状など）の金属粒子、金属めっき樹脂コア粒子、などを用いることができる。金属粒子としては、粒状または針状ニッケル粒子がよく、金属めっき樹脂コア粒子としては、アクリルまたはポリスチレンを核とした金めっき粒子などを用いるのがよい。
ＡＣＦ２１の厚みは、１０μｍ〜６０μｍ、より好ましくは３０μｍ〜５０μｍとするのがよい。
【００２１】
（実施の形態２）
図４は、本発明の実施の形態２におけるフレキシブルプリント配線板の接続構造５０を示す断面図である。本実施の形態では、電極２ａには銅めっき層３が形成され、金めっき層１１は形成されていない。また、電極接続エリアＳは２つが合体して閉空間が形成され、その閉空間にＡＣＦ２１が充満している。このため、次の作用効果を得ることができる。
（Ｊ４）金めっき層なしでの腐食防止
電極２ａは金めっき層１１に被覆されていないにもかかわらず、ＡＣＦ２１によって隙間なく被覆されるので、腐食が防止される。ＡＣＦ２１は、上述のように、２つのフレキシブルプリント配線板１０の電極２ａ，２ａの間に挟まれて、圧力を受けながら加熱されることで、軟化状態、溶融に近い状態、もしくは溶融状態にされ、２つの電極２ａ，２ａの間隙を充填する。すなわち２つの電極２ａ，２ａは隙間なくＡＣＦ２１で充填される。
この結果、金めっき層の代わりに、ＡＣＦ２１を多めにして上記の閉空間を充填することで電極の腐食を、安価な経費で防止することが可能となる。
【００２２】
上記において、本発明の実施の形態および実施例について説明を行ったが、上記に開示された本発明の実施の形態および実施例は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【産業上の利用可能性】
【００２３】
本発明は、ＡＣＦを用いて電極同士を能率よく導電接続しながら、変形を受けてもフレキシブルプリント配線板の電極等での応力集中を避けることができる。このため、金めっき層で電極を被覆することで腐食を防止しながら電極へのクラック発生を防止することができる。また金めっき層で被覆しないで銅めっき層等が露出する場合でも、ＡＣＦで電極接続エリアの空間を隙間なく充填することで、安価に腐食防止を実現することができる。
【符号の説明】
【００２４】
１  基層、２  銅箔、２ａ  表面側の電極、２ｂ  裏面側の配線回路、３  銅めっき層、５  カバーレイ接着剤層、６  カバーレイ樹脂膜、１０  フレキシブルプリント配線板、１１  金めっき層、２１  異方導電膜（ＡＣＦ）、２３  ガイド穴、２４  アラインメントマーク、５０  接続構造、Ｃ  応力集中部、ｈ  ビアホール、Ｓ  電極接続エリア。
【図１】
0005509480.tif 000002
【図２】
0005509480.tif 000003
【図３】
0005509480.tif 000004
【図４】
0005509480.tif 000005
【図５】
0005509480.tif 000006